(57)【特許請求の範囲】
【請求項１】
キャビネットから出し入れ可能な引出と、該引出の内側で独立して出し入れ可能な内引出とを備えた収納庫であって、
前記内引出は、横幅が前記引出の横幅よりも狭く、左右方向で前記キャビネットの両横壁のうち一方に寄って配置されていて、
前記内引出の横壁に寄っている側の前部には、前記引出の側板またはギャラリーパイプの上を走行するプーリーが設けられていて、
前記内引出の後部には、離れている側の横壁の内面まで延長された支持バーが取り付けられていて、
前記支持バーの先端は、離れている側の横壁の内面に取り付けられた内引出用レールに滑走可能に支持されていることを特徴とする収納庫。
【請求項２】
前記内引出用レールは前記キャビネットの両横壁の内面に一対に取り付けられていて、
前記支持バーは前記キャビネットの全幅にわたり、該支持バーの両端が前記一対の内引出用レールに滑走可能に支持されていることを特徴とする請求項１に記載の収納庫。
【発明の詳細な説明】
【技術分野】
【０００１】
本発明は、キャビネットから出し入れ可能な引出と、引出の内側で独立して出し入れ可能な内引出とを備えた収納庫に関する。
【背景技術】
【０００２】
キッチンで使用される調理器具には、ボールやざるのように大型のもの、長手の形状を有する杓子類（レードル）、長箸、ラップ、包丁、調味料などの小物類、乾物や缶詰などの食料品など、様々なものがある。そこで使い勝手を向上させるために、キッチンに設けられる収納庫には、物品の形状に応じた様々な工夫が成されている。
【０００３】
例えば、キッチンで使用する調理器具には、寸胴鍋のように高さが高いものもあれば、バットのように高さが低いものがあり、背の高いものを収納しつつ、背の低いものは引出内を２段使用して効率的に収納したいという要望がある。そこで特許文献１では、収納家具本体（キャビネット）の主抽斗（引出）の内部に、それに対して前後方向にスライド自在に支持される副抽斗（内引出）を設けている。特許文献１によれば、収納容積効率を高めつつ、区分して収納することができ、各々の物品の出し入れ性を向上することが可能であるとしている。
【先行技術文献】
【特許文献】
【０００４】
【特許文献１】特開２０１３−９０６６０号公報
【発明の概要】
【発明が解決しようとする課題】
【０００５】
特許文献１の収納家具装置では、主抽斗の前板部と背板部との間に２枚の板状のレール支持部材が配置される。そして、このレール支持部材にスライドレールを取り付けることにより、副抽斗がスライドレール上を移動可能となる。しかし、かかる構成であると、主抽斗の両側板部の間の空間に、すなわち主抽斗のほぼ中央を分断するようにレール支持部材が配置される。このため、レール支持部材が邪魔になり、大きい収納物が収納しづらかったり、レール支持部材の下方に収納した収納物を取り出しづらかったりするという問題があった。
【０００６】
本発明は、このような課題に鑑み、引出の内部に内引出を設ける場合であっても、大きな収納物を収納しやすく、取り出しを容易に行うことができ、収納空間の利用効率を高めることが可能な収納庫を提供することを目的としている。
【課題を解決するための手段】
【０００７】
上記課題を解決するために、本発明にかかる収納庫の代表的な構成は、キャビネットから出し入れ可能な引出と、引出の内側で独立して出し入れ可能な内引出とを備えた収納庫であって、内引出は、横幅が引出の横幅よりも狭く、左右方向でキャビネットの両横壁のうち一方に寄って配置されていて、内引出の横壁に寄っている側の前部には、引出の側板またはギャラリーパイプの上を走行するプーリーが設けられていて、内引出の後部には、離れている側の横壁の内面まで延長された支持バーが取り付けられていて、支持バーの先端は、離れている側の横壁の内面に取り付けられた内引出用レールに滑走可能に支持されていることを特徴とする。
【０００８】
上記構成によれば、内引出は、両側のうち、キャビネットの一方の横壁に寄っている側は、引出の側板またはギャラリーパイプに支持され、キャビネットの一方の横壁から離れている側は、支持バーを介してキャビネットの他方の横壁に支持される。これにより、引出内部の収納空間には、従来のような内引出を支持するための部材を配置する必要がない。これにより、内引出をキャビネットの奥側に押し込んだ状態では、引出の上面は開放された状態となる。したがって、例えばホットプレートのような大きな収納物を収納しやすく、その取り出しを容易に行うことができ、収納空間の利用効率を高めることが可能となる。
【０００９】
上記内引出用レールはキャビネットの両横壁の内面に一対に取り付けられていて、支持バーはキャビネットの全幅にわたり、支持バーの両端が一対の内引出用レールに滑走可能に支持されているとよい。かかる構成によれば、支持バーの両端が内引出用レールに支持されることから、支持バーの耐荷重および剛性が高い。また、内引出と支持バーの取付部にねじり応力がかからないため、構造を簡略にすることができる。仮に支持バーを片持ち梁で内引出に取り付けると、取付部に大きな回転モーメントがかかるために、取付部の部材に剛性の高い素材や厚みが必要となる。したがって上記構成によれば、堅牢性（頑丈さ）や耐久性を高めることができ、また内引出をスライドさせた際のがたつきを抑制することが可能となる。
【発明の効果】
【００１０】
本発明によれば、引出の内部に内引出を設ける場合であっても、大きな収納物を収納しやすく、取り出しを容易に行うことができ、収納空間の利用効率を高めることが可能な収納庫を提供することができる。
【図面の簡単な説明】
【００１１】
【図１】本実施形態にかかる収納庫を備えるコンロキャビネットの全体斜視図である。
【図２】本実施形態にかかる収納庫を備えるコンロキャビネットの全体斜視図である。
【図３】本実施形態にかかる収納庫を備えるコンロキャビネットの全体斜視図である。
【図４】内引出の詳細図である。
【図５】本実施形態の収納庫と従来の収納庫を対比した図である。
【図６】本実施形態の収納庫と従来の収納庫を対比した図である。
【図７】本実施形態の収納庫の他の例を示す図である。
【発明を実施するための形態】
【００１２】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１３】
図１、図２および図３は、本実施形態にかかる収納庫１００を備えるコンロキャビネット１００ａの全体斜視図である。図１は、収納庫１００の引出１２０および内引出１３０の両方を引き出したコンロキャビネット１００ａを右側の前方から観察した状態を図示していて、図２は、図１に示すコンロキャビネット１００ａを右側の後方から観察した状態を図示している。図３は、収納庫１００の引出１２０のみを引き出したコンロキャビネット１００ａを右側の前方から観察した状態を図示している。なお、理解を容易にするために、図１〜図３では収納庫１００のキャビネット１１０の一方の横壁（右横壁１１２ａ）を透過させた状態を示している。
【００１４】
キッチン（不図示）には、図１〜図３に示すようなコンロキャビネット１００ａが設けられている。コンロキャビネット１００ａは、上部にコンロ１０２が配置されていて、コンロ１０２の下方には、収納物（不図示）を収納する収納庫１００が設けられている。本実施形態の収納庫１００は、図１に示すように、キャビネット１１０から出し入れ可能な引出１２０と、引出１２０の内側で独立して出し入れ可能な内引出１３０とを含んで構成される。
【００１５】
キャビネット１１０の右横壁１１２ａ・左横壁１１２ｂの内面には一対のスライドレール１１４ａ・１１４ｂ（引出用レール）が配置されている。このスライドレール１１４ａ・１１４ｂにより、引出１２０がキャビネット１１０に対して前後方向にスライド可能に取り付けられる。
【００１６】
図４は、内引出１３０の詳細図であり、図４（ａ）は内引出１３０を右側の上方から観察した状態を図示していて、図４（ｂ）は内引出１３０を右側の下方から観察した状態を図示している。図１に示すように、内引出１３０は、横幅が引出１２０の横幅よりも狭く、左右方向でキャビネット１１０の両横壁のうち一方（本実施形態では右横壁１１２ａ）に寄って配置されている。
【００１７】
図４（ｂ）に示すように、内引出１３０には、その両側板（右側板１３２ａ・左側板１３２ｂ）のうち、キャビネット１１０の右横壁１１２ａ（一方の横壁）によっている側の前部にはプーリー１３４が設けられている。このプーリー１３４が、引出１２０の側板１２２の上方に設けられたギャラリーパイプ１２４（図１参照）の上を走行することにより、内引出１３０が引出１２０の上方を前後方向にスライド移動することが可能となる。
【００１８】
なお、本実施形態では、プーリー１３４がギャラリーパイプ１２４の上を走行する場合を例示したが、これに限定するものではない。例えば、引出１２０の側板１２２の上方にギャラリーパイプ１２４が設けられていない場合には、プーリー１３４が側板１２２の上面を走行する構成とすることも可能である。
【００１９】
また本実施形態では、内引出１３０の底板に網状の部材を図示しているが、これにおいても限定するものではない。例えば、内引出１３０の底板はパーチクルボードのような板材を用いてもよいし、網状の部材の上に板材を配置するような構成とすることも可能である。
【００２０】
図１に示すように、キャビネット１１０の右横壁１１２ａ・左横壁１１２ｂの内面には一対の内引出用レール１１６ａ・１１６ｂが配置されている。本実施形態の収納庫１００の特徴として、図４（ａ）および（ｂ）に示すように、内引出１３０の後部には、キャビネット１１０の離れている側の横壁である左横壁１１２ｂ（図１参照）の内面まで延長された支持バー１３６が取り付けられている。そして、支持バー１３６の先端には、左横壁１１２ｂの内面に取り付けられた内引出用レール１１６ｂに噛み合う走行用プーリー１３８ｂが取り付けられている。これにより、内引出１３０は、内引出用レール１１６ｂに滑走可能に支持され、キャビネット１１０内を前後方向にスライド移動することが可能となる。
【００２１】
上記説明したように、本実施形態の収納庫１００では、内引出１３０は、キャビネット１１０の右横壁１１２ａ（一方の横壁）に寄っている側がギャラリーパイプ１２４に支持される。一方、内引出１３０の反対側、すなわちキャビネット１１０の右横壁１１２ａから離れている側は、支持バー１３６を介してキャビネット１１０の左横壁１１２ｂ（他方の横壁）に支持される。これにより、引出１２０の内部の収納空間には、従来のような内引出１３０を支持するための部材が配置されない。
【００２２】
ここで、内引出１３０は引出１２０の底板よりも高い位置にあるから、内引出１３０の下には引出１２０の全幅にわたる広い収納空間が存在している。このため、薄いもの（背の低いもの）であれば、内引出１３０の下側に収納できる。
【００２３】
図５および図６は、本実施形態の収納庫１００と従来の収納庫３００を対比した図であり、図５（ａ）は本実施形態の収納庫１００の上面図であり、図５（ｂ）は従来の収納庫３００の上面図である。図５（ｂ）に示すように、従来の収納庫３００では、内引出３３０は、キャビネット３１０の右横壁３１２ａ・左横壁３１２ｂのうち右横壁３１２ａに寄って配置されている。そして、内引出３３０は、右側が右横壁３１２ａに支持されていて、左側は、引出３２０の内部に配置された支持板３２２によって支持されている。このため、従来の収納庫３００では、引出３２０の内部が支持板３２２によって仕切られた状態となり、例えばホットプレート１０４のように薄くて大きな収納物を収納することが困難であった。
【００２４】
これに対し本実施形態の収納庫１００では、図３に示すように、内引出１３０をキャビネット１１０の奥側に押し込んだ状態では、引出１２０の上面は開放された状態となる。これにより、図５（ａ）に示すようにホットプレート１０４のような大きな収納物であっても引出１２０内に収納しやすく、その取り出しを容易に行うことができ、ひいては収納空間の利用効率を高めることが可能となる。
【００２５】
図６（ａ）は、本実施形態の収納庫１００の上面図であり、図６（ｂ）は従来の収納庫３００の上面図であり、複数の鍋１０６ａ・１０６ｂ・１０６ｃ（調理器具）を収納する場合を例示している。
【００２６】
図６（ｂ）に示すように、従来の収納庫３００では、複数の鍋１０６ａ〜１０６ｃを収納する場合、内引出３３０の左側を支持する支持板３２２の下方の空間を利用することとなる。このような構成であると、支持板３２２の下方の空間に収納した鍋１０６ｂを取り出すためには、その両側の鍋１０６ａ・１０６ｃのいずれか一方を取り出して、更に鍋１０６ｂを取り出した方向にずらさないとならず、出し入れに手間がかかってしまう。したがって、上方からの出し入れが容易であるという引出３２０の利点が損なわれてしまう。
【００２７】
上記に対し本実施形態の収納庫１００では、図６（ａ）に示すように引出１２０の内部に従来のような支持板３２２が存在しない。このため、複数の鍋１０６ａ〜１０６ｃを引出１２０内に収納した場合であっても、他の鍋を先に取り出すという作業を行うことなく、所望の鍋を取り出すことができる。
【００２８】
特に本実施形態では、上述したように内引出用レール１１６ａ・１１６ｂはキャビネット１１０の両横壁（右横壁１１２ａ・左横壁１１２ｂ）の内面に一対に取り付けられている。そして、図４（ａ）および（ｂ）に示すように、支持バー１３６はキャビネット１１０（図１参照）の全幅にわたり、かかるキャビネット１１０の右横壁１１２ａに寄っている側の端部にも内引出用レール１１６ａに噛み合う走行用プーリー１３８ａが取り付けられている。これにより、内引出１３０では、支持バー１３６の両端が一対の内引出用レール１１６ａ・１１６ｂに滑走可能に支持される。
【００２９】
上記構成によれば、内引出１３０およびそこに収納された収納物の荷重は、両側の内引出用レール１１６ａ・１１６ｂによって支持される。したがって、収納庫１００の堅牢性（頑丈さ）を高めることができ、内引出１３０をスライドさせた際のがたつきを抑制することが可能となる。
【００３０】
またこのように支持バー１３６の両側に走行用プーリー１３８ａ・１３８ｂを設け、それが噛み合う内引出用レール１１６ａ・１１６ｂをキャビネット１１０の横壁（右横壁１１２ａ・左横壁１１２ｂ）に配置する構成によれば、スライドレールを用いるよりも簡略な構造とすることができる。したがって、部品コストの削減や軽量化を図ることが可能となる。加えて、このような簡略な構造であれば取り扱いが容易であるため、内引出１３０を着脱しての清掃や、内引出１３０を使用しない場合の取り外しも簡単に行うことが可能である。
【００３１】
図７は、本実施形態の収納庫の他の例を示す図である。図７に示す収納庫２００では、キャビネット１１０において、内引出１３０が寄っている側の右横壁１１２ａに設けられる内引出用レール２１６ａをスライドレールとしている。このような構成によっても、上述した収納庫１００と同様の効果を得ることができる。また内引出用レール２１６ａをスライドレールとすることにより、かかるスライドレールによって内引出１３０およびそこに収納される収納物の荷重を支持することも可能となる。
【００３２】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００３３】
本発明は、キャビネットから出し入れ可能な引出と、引出の内側で独立して出し入れ可能な内引出とを備えた収納庫として利用することができる。
【符号の説明】
【００３４】
１００…収納庫、１００ａ…コンロキャビネット、１０２…コンロ、１０４…ホットプレート、１１０…キャビネット、１１２ａ…右横壁、１１２ｂ…左横壁、１１４ａ…スライドレール、１１４ｂ…スライドレール、１１６ａ…内引出用レール、１１６ｂ…内引出用レール、１２０…引出、１２２…側板、１２４…ギャラリーパイプ、１３０…内引出、１３２ａ…右側板、１３２ｂ…左側板、１３４…プーリー、１３６…支持バー、１３８ａ…走行用プーリー、１３８ｂ…走行用プーリー、２００…収納庫、２１６ａ…内引出用レール
【図１】
0006455216.tif 000002
【図２】
0006455216.tif 000003
【図３】
0006455216.tif 000004
【図４】
0006455216.tif 000005
【図５】
0006455216.tif 000006
【図６】
0006455216.tif 000007
【図７】
0006455216.tif 000008